(57)【要約】      （修正有）【課題】津波によるカプセルの変位時における衝撃に対する強度や浮力及び、カプセル外部変位と内部変位が同じである等の問題を解決する耐水震構造を提供する。【解決手段】津波により流される状況において上部は円筒形または多角筒形であり下部は半球体である外殻１１，１２の内部に、上部は円筒形または多角筒形であり下部は半球体である内壁１４を有する構造体とし、外殼の下部半球体１２外側に下部が重心部となるよう金属、または液体のオモリ２９を配設した。又、内壁の下部半球体内側に下部が重心部となるよう金属、または液体のオモリ２５を配設し、外殻と内壁との間隔を埋める球体または液体を配設することで、外殻の変位に影響を受けず内壁の変位を制御可能とした。【選択図】図５
2013226353.tif 000002
【特許請求の範囲】
【請求項１】
上部は円筒形または多角筒形であり下部は半球体である外殻の内部に、上部は円筒形または多角筒形であり下部は半球体である内壁を有する構造体とし、外殼の下部半球体外側に下部が重心部となるよう金属、または液体のオモリを配設した。又、内壁の下部半球体内側に下部が重心部となるよう金属、または液体のオモリを配設し、上部は円筒形または多角筒形であり下部は半球体である外殻と上部は円筒形または多角筒形であり下部は半球体である内壁との間隔を埋める、球体または液体を配設することで、外殼の変位に影響を受けず内壁の変位を制御可能とした浮力型住宅、津波対応浮力型避難カプセル、及び浮力住宅耐震構造、並びに船舶の耐水震構造。
【請求項２】
上部は円筒形または多角筒形であり下部は半球体である外殻の下部半球体外側の下重心部に１箇所以上の回転球体を保持したボールベアリング材を配設し、中央湾曲金属台の中央に設置した浮力型住宅の自動位置復元耐震構造。
【発明の詳細な説明】
【技術分野】
【０００１】本発明は、浮力型住宅、津波対応浮力型避難カプセル、及び浮力住宅自動位置復元耐震構造、並びに船舶の耐水震構造に関する。
【背景技術】
【０００２】  図１の従来例カプセル３０は、下部外部壁３１と上部外部壁３２とをヒンジ３３を支点に開閉レバー３４にて操作する構造とした。
図２の従来例耐震住宅構造４０は、土台基礎４１に家屋が固定された状況に於いては、筋違い４２による筋違い構造、又は免震ゴム４３による免震構造がある。土台基礎４１に家屋が固定されない状況では、空気層４５によるエアー構造がある。
図３の従来例いかだ型浮力住宅５０は、いかだ部５４に浮力を負担させ上部に１階床５３、及び外壁５１を有する家屋を乗せ、水面８に対する浮力住宅の構造とした。
図４の従来例一体型浮力住宅６０は、１階床６３や外壁６１を有する家屋本体による浮力により、水面８に対する浮力住宅の構造とした。
［津波または大水災害避難用装置］は自由方向の回転可能な球体構造とした。
【先行技術文献】
【特許文献】
【０００３】
【特許文献１】特許第３７５２５１６号［津波または大水災害避難用装置］
【発明の概要】
【発明が解決しようとする課題】
【０００４】  従来例カプセルは、落下物による衝撃への強度、及び浮力に対する考慮はなされているが、津波によるカプセルの変位時における衝撃に対する強度や浮力、及びカプセル外部変位と内部変位が同じことに問題があった。自由方向の回転可能な津波または大水災害避難用装置も回転可能な構造とする為、球体でなくてはならない大きな問題があった。又、従来例いかだ型浮力住宅や、従来例一体型浮力住宅は、浮力のみ確保されているが津波エネルギーによる衝撃や外部変位及び内部変位に大きな問題がある。更に従来例耐震住宅構造では、津波時においては建築物本体が土台基礎や地面より離脱する為、浮力住宅用耐震構造としては適していない大きな問題があった。【０００５】  本発明は、このような不具合を解消する為になされたものであり、津波により流される状況においてカプセルや住宅の内外変位を最小限に押える構造により、津波対応浮力型住宅、及び津波対応浮力型避難カプセルとした。又、建築物本体が容易に土台基礎や地面より離脱可能な耐震構造とすることで、津波対応浮力住宅耐震構造とした構造の提供を目的とするものである。
【課題を解決するための手段】
【０００６】  上記不具合を解決するために、本発明は次のような構成としている。
請求項１に記載した本発明津波対応浮力型耐震住宅及び浮力型避難カプセル、並びに船舶の耐水震構造は上部円筒形または多角筒形であり下部は半球体である外殻の内部に、上部円筒形または多角筒形であり下部は半球体である内壁を有する構造体とし、外殻の下部半球体外側に下部が重心部となるよう金属、または液体のオモリを配設した。又、内壁の下部半球体内側に下部が重心部となるよう金属、または液体のオモリを配設した。上部円筒形または多角筒形であり下部は半球体である外殻と上部円筒形または多角筒形であり下部は半球体である内壁との間隔を埋める球体または液体を配設することで、外殻の変位に影響を受けず内壁の変位を制御可能とした構造としている。外殻には換気用通気孔や、被災時回収用の吊上げ用リングを配設している。【０００７】  請求項２に記載した浮力型住宅の耐震構造は、外殻の下部半球体外側の下部重心部に１箇所以上の回転球体を保持したボールベアリング材を配設し、中央湾曲金属台の中央に設置したことにより、建築物本体を容易に士台基礎や地面より離脱可能な耐震構造とすることで、津波対応浮力型住宅の自動位置復元耐震構造とした。
【発明の効果】
【０００８】  以上説明したように本発明の構造システムにより、居住者や避難民は本発明津波対応浮力型耐震住宅及び浮力型避難カプセル内に避難することで、３６０度すべての方向への地震力による揺れや、津波の水震力による変位を抑制可能な効果を発揮する事ができた。
【図面の簡単な説明】
【０００９】
【図１】図１は従来例避難カプセルの断面図
【図２】図２は従来例耐震構造住宅の立面図
【図３】図３は従来例いかだ型浮力住宅の断面図
【図４】図４は従来例一体型浮力住宅の断面図
【図５】図５は本発明津波対応浮力型耐震住宅及び浮力型避難カプセル並びに船舶の耐水震構造の断面図
【発明を実施するための形態】
【００１０】  上部円筒形または多角筒形であり下部は半球体である外殻の内部に、上部円筒形または多角筒形であり下部は半球体である内壁を有する構造体とし、外殻の下部半球体外側に下部が重心部となるよう金属、または液体のオモリを配設した。又、内壁の下部半球体内側に下部が重心部となるよう金属、または液体のオモリを配設した。上部円筒形または多角筒形であり下部は半球体である外殻と、上部円筒形または多角筒形であり下部は半球体である内壁との間隔を埋める球体または液体を配設することで、カプセルや住宅の内外変位を最小限に押える構造とし、外殻の変位に影響を受けることなく内壁の変位を制御可能とした構造としている。外殻には換気用通気孔や、被災時回収用の吊上げ用リングを配設している。
又、外殼の下部半球体外側の下部重心部に１箇所以上の回転球体を保持したボールベアリング材を配設し、中央湾曲金属台の中央に設置した浮力型住宅の自動位置復元耐震構造としている。
【００１１】  以下、本発明の実施の形態を図５に基づいて説明する。
【００１２】  本発明の実施例について、図面を参照して説明する。図５は本発明津波対応浮力型耐震住宅及び浮力型避難カプセルの構造、並びに船舶の耐水震構造の断面図。
【００１３】  図５で示すように、本発明の津波対応浮力型耐震住宅、及び浮力型避難カプセル、並びに船舶の耐水震構造１０は、上部外殻１１と下部外殻１２を有する上部円筒形または多角筒形であり下部は半球体である外殻の内部に、上部円筒形または多角筒形であり下部は半球体である内壁１４を有する構造体としている。外殻の下部半球体外側に下部が重心部となるよう金属、または液体の円錐型オモリ２９、上部に通気孔１８、側面に吊上げ用リング９を配設している。又、内壁の下部半球体内側に下部が重心部となるよう金属、または液体のオモリ２５と、１階床２３、床下収納２１を配設し、上部円筒形または多角筒形であり下部は半球体である外殻と、上部円筒形または多角筒形であり下部は半球体である内壁との間隔を埋める球体であるボールベアリング２６と空気層１３により構成されている。
【００１４】  更に外殻の下部半球体外側の下部重心部に３以上の回転球体を保持したボールベアリング２７を配設し、円錐型オモリ２９の先端には回転球体を保持したセンターボールベアリング２８を設け、中央湾曲金属台２４の中央に設置することにより浮力型住宅の自動位置復元耐震構造とした。
【００１５】  通常地震による水平方向の変位は、外殻の下部半球体外側の下部重心に３以上の回転球体を保持したボールベアリング２７と、円錐型オモリ２９先端の回転球体を保持したセンターボールベアリング２８の回転、及び中央湾曲金属台２４の湾曲部抵抗により殆ど吸収される。又、残された外殼の変位、津波や高波による外殻の変位は、外殼の下部半球体と内壁との間隔を埋める球体であるボールベアリング２６または空気層１３に注入する液体により吸収される為、内壁の１階床２３は水平状態を保持することが可能となる効果を発揮する事ができた。外殻は回転球体を保持したボールベアリング２７，２８の回転及び、中央湾曲金属台２４の湾曲部構造により自然に変位以前の位置へ復元される。津波による浮遊時に於いても下部半球体の為、外部衝撃を軽減できる効果も発揮することが可能である。
【符号の説明】
【００１６】  ８      水面
９      吊上げ用リング
１０      本発明津波対応浮力型耐震住宅及び浮力型避難カプセル並びに船舶の耐水震構          造
１１      上部外殼
１２      下部外殻
１３      空気層
１４      内壁
１８      通気孔
２１      床下収納
２３      １階床
２４      中央湾曲金属台
２５      オモリ
２６      ボールベアリング
２７      回転球体を保持したボールベアリング材
２８      回転球体を保持したセンターボールベアリング材
２９      円錐型オモリ
３０      従来例カプセル
３１      下部外部壁
３２      上部外部壁
３３      ヒンジ
３４      開閉レバー
４０      従来例耐震住宅構造
４１      土台基礎
４２      筋違い
４３      免震ゴム
４５      空気層
５０      従来例いかだ型浮力住宅
５１      外壁
５３      １階床
５４      いかだ部
６０      従来例一体型浮力住宅
６１      外壁
６３      １階床
【図１】
2013226353.tif 000003
【図２】
2013226353.tif 000004
【図３】
2013226353.tif 000005
【図４】
2013226353.tif 000006
【図５】
2013226353.tif 000007